(57)【要約】【課題】２４時間表示の時刻指示子を通常の時刻表示とは無関係に１時間進める機構を提供する。【解決手段】通常の使用中、時刻指示子（２）が時計の歯車列（４）によって制御される機構（３）によって駆動される。この機構は、時刻合わせ部材（１）を作動させると、指示子から歯車列を外すように構成されており、この働きによって、指示子は１時間のステップで進むことになる。時間合わせ部材には、前記機構（３）に作用する装置（６）を作動させるプッシュボタン（５）が含まれている。【選択図】図２
2008151790.tif 000002
【特許請求の範囲】
【請求項１】
通常の使用時には時計（２）の歯車列（４）によって制御される機構（３）によって駆動される時計の時間指示子（２）のための時刻合わせ部材（１）であって、前記機構が、前記時刻合わせ部材を作動させると、前記指示子から前記歯車列を外し、この働きによって、前記指示子が１時間のステップで進むよう構成されている時刻合わせ部材（１）において、さらに、プッシュボタン（５）を含み、それが手動圧力を受けると装置（６）を作動させ、その装置（６）が前記機構に作用して、前記歯車列（４）が前記指示子（２）から外されるようなっていることを特徴とする、時刻合わせ部材。
【請求項２】
前記歯車列（４）によって制御される前記機構（３）は、前記歯車列とかみ合う第１の車（７）と第２の車（８）とを含み、その第２の車（８）は、一方ではバネ装置（９）によって前記第１の車（７）に結合され、他方では、前記プッシュボタン（５）によって作動させられる前記装置（６）によって駆動され、前記プッシュボタン（５）を作動させると、前記第１と第２の車が互いから外れ、前記時刻指示子（２）が１ステップだけ進むように構成されていることを特徴とする、請求項１に記載の部材。
【請求項３】
前記第１の車（７）がハブ（１１）で自由に回転するクラウン（１０）にはめ込まれており、前記クラウンが前記指示子が有する時刻目盛（３５）と同じ数の歯（１３）が設けられた星形車（１２）を備えており、前記星形車（１２）の２つの反対位置にあるスペースが、それぞれ、前記星型車を包囲する環状バネ（１５）の２つの突出部（１４）と協働するようになっており、そのバネが、前記ハブ（１１）に押し付けられる板（１８）に形成された２つの対応する穴（１７）に嵌る垂直方向に曲げられた２つの部分（１６）を備えており、前記第２の車（８）が前記ハブ（１１）にはめ込まれ、前記時刻指示子（２）が前記ハブ（１１）によって駆動されることを特徴とする、請求項２に記載の部材。
【請求項４】
カム（１９）が前記ハブ（１１）にはめ込まれており、ラック（２１）の端部に配置されたセンサ（２０）が前記カムをこするようになっており、前記ラックのもう一方の端部が、軸にレトログレード時刻指示子（２）が取り付けられたピニオン（２３）とかみ合う歯部（２２）を備えていることを特徴とする、請求項３に記載の部材。
【請求項５】
円弧形時間指示子が前記ハブ（１１）に取り付けられることを特徴とする、請求項３に記載の部材。
【請求項６】
前記プッシュボタン（５）によって作動する前記装置（６）は、前記プッシュボタンの作動で歯部（２５）が前記第２の歯（８）とかみ合う滑り車（２４）を含み、その滑り車は、歯部が前記プッシュボタン（５）によって制御されるラック（２８）の歯部（２７）とかみ合うピニオン（２６）を備えていることを特徴とする、請求項２に記載の部材。
【請求項７】
前記滑り車（２４）に備えられた軸（２９）がブリッジに形成された長楕円形の穴（３０）にガイドされて、前記滑り車が、まず第１に並進移動し、次に、その歯部（２５）が前記第２の車（８）にかみ合うとすぐに回転移動して、前記時刻指示子（２）を１ステップだけ進めることを特徴とする、請求項６に記載の部材。
【請求項８】
摩擦バネ（３１）が前記滑り車（２４）に圧力を加えて、並進時に前記車が回転するのを阻止することを特徴とする、請求項７に記載の部材。
【発明の詳細な説明】
【関連出願の相互参照】
【０００１】
本出願は、その開示全体が本明細書において参考までに援用されている、２００６年１２月１３日に提出された欧州特許出願第０６１２６０２５．３号からの優先権を請求するものである。
【技術分野】
【０００２】
本発明は、時計の時刻指示子のための時刻合わせ部材に関するものであり、前記指示子は、通常使用時には、前記時計に含まれる歯車列によって制御される機構によって駆動されるが、この機構は、時刻合わせ部材を作動させる時には、前記指示子から前記歯車列を外すようになっており、この操作によって、指示子が１時間ステップで進められることになる。
【背景技術】
【０００３】
このタイプの装置は先行技術文献の１つ（特許文献１参照）によって知られており、その文献に開示されている。その文献において、時計には、分表示に影響することなく、手動ステムによって１時間ステップで進めることが可能な時針が含まれている。そうするため、時針は、時方輪列、すなわち、時計によって支持されているモータ素子から前記時針が外されて、ステムの回転によって前記時針が１時間進められ、時刻を合わせる瞬間を除いて、時方輪列に常に結合されている。このシステムによって、一時間未満に対する影響が回避され、分は保存される。例えば、時針が１０時３０分を示している場合、ステムを回転させると、時針は１１時３０分まで進むことになる。
【０００４】
この結果を得るため、前記文献に開示の時計には、歯車列にかみ合う第１の車と、時刻を合わせている間ステムによって駆動することが可能な第２の車が含まれている。これらの車は、バネを含む限定トルク機構によって互いに結合されている。時刻が修正されている期間外は、第１と第２の車は互いにしっかりと結合されたままであり、それによって、時刻を補完する分に影響をおよぼすことなく、時の表示を変更することが可能になるのは明らかである。
【特許文献１】欧州特許第Ａ−１５４４６９１号明細書
【発明の開示】
【発明が解決しようとする課題】
【０００５】
回転させるステムからではなく、押すプッシュボタンから同じ結果が得られることは、まだ知られていない組み合わせによる新しい時計の提案が可能になるということを表わしているので、有利な技術的進歩になる。
【０００６】
プッシュボタンを利用した所定の時間単位の補正は、既知である。これには、日付または曜日を表示する場合が該当し、例えば、開口を介して表示される、日付または曜日が表示されるリングの歯部を駆動する作動つめが用いられる。しかしながら、これは、その数字の分数または少数を考慮する必要のない１つの数字からもう１つの数字への単純な移行、すなわち、ステップバイステップの進みである。
【課題を解決するための手段】
【０００７】
従って、本説明の最初のパラグラフにおける記述に従うだけではなく、本発明による時刻指示子の時刻合わせ部材は、手動で圧力が加えられると、前記機構に作用して、前記歯車列が前記指示子から外されるようにする装置を起動する、プッシュボタンを含むことを特徴とする。
【発明を実施するための最良の形態】
【０００８】
以下では、一例として示される実施形態の１つに基づいて本発明について詳述するが、この例は限定されない単なる例証として提示されるものであり、実施形態は付属の図面によって例示される。
【０００９】
図１は、本発明すなわちレトログレード２４時間時刻ディスプレイを含む時計の平面図である。時刻指示子は、円弧をなすように構成された、０〜２４にわたる目盛板３５が取り付けられている、針２である。この時計は、時間帯時計と呼ぶことが可能であり、時計を装着した人が住んでいる場所の地方時間が針２によって表示され、その人が一時的に滞在している時間帯の時刻が針３６によって表示されるが、この針は分針３７によって補完される。図１の時計は、日付ディスプレイ３８、曜日ディスプレイ３９、小さい秒ディスプレイ４０によって補完される。針２の時刻は、プッシュボタン５によって合わせられる。他の構成を想定することも可能であるが、われわれの関心の的は、時刻がプッシュボタン５によって合わせられる針２である。
【００１０】
図２は、本発明による時刻合わせ部材を備えた時刻表示機構の平面図である。この図には、部材１によって合わせることが可能な、この場合針である時刻指示子２が示されている。指示子２は、通常使用中は機構３によって駆動され、機構３は時計に含まれている歯車列４によって制御される。機構３は、時刻合わせ部材１を作動させる時には、指示子２から歯車列４を外すように構成されており、この動きによって、１時間のステップで指示子が進められる。
【００１１】
上記説明は、本発明に従って指示子２の時刻合わせ部材１としてプッシュボタン５を用いることに存する独創性を示している。さらに本発明によれば、このプッシュボタンは、手動による圧力が加えられると、装置６を作動させ、次にこの装置６が機構３に作用して、指示子２から歯車列４が外されるようにし、その結果、指示子２は１時間のステップで進むことになる。
【００１２】
一般に、機構３には、歯車列４によって制御され、それにかみ合う第１の車７が含まれ、かつ第２の車８が含まれている。この第２の車８は、一方ではバネ装置９によって第１の車７に結合され、もう一方では、第１と第２の車を互いから外し、時刻指示子２を１ステップだけ進ませるためにプッシュボタン５が動作させられたとき、そのプッシュボタン５で作動させられる装置６によって駆動される。
【００１３】
すなわち、図２に示すラインＩＩＩ−ＩＩＩに沿った断面図である図３及びラインＩＶ−ＩＶに沿った断面図である図４によって明確に示されているように、第１の車７はハブ１１で自由に回転するクラウン１０にはめ込まれている。クラウン１０は、指示子が有する時刻目盛３５（図２参照）と同じ数の歯１３が設けられた星形車１２を備えている。星形車１２の２つの正反対位置にあるスペースは、それぞれ、星型車１２を包囲する環状バネ１５の２つの突出部１４と協働する。このバネ１５は、ハブ１１に押し付けられる板１８に形成された２つの対応する穴１７に嵌る垂直方向に曲げられた２つの部材１６を備えている。さらに図３及び４に示されているように、第２の車８はハブ１１にはめ込まれ、詳細に後述するようにプッシュボタン５によって作動する装置６にかみ合うことが可能である。時刻指示子２はハブ１１によって駆動される。この指示子の性質に応じて、指示子は２つのやり方で駆動することが可能であり、次にその１つについて説明することにする。
【００１４】
図２及び４に示すように、カムがハブ１１にはめ込まれ、ラック２１の端部に配置されたセンサまたはフィーラ２０が前記カムをこする。ラックのもう一方の端部には歯部２２が設けられている。ラックは４１にヒンジ止めされている。ラック２１の歯部２２が、その軸にレトログレード時刻指示子２が固定されているピニオン２３にかみ合う。
【００１５】
時刻指示子２はハブ１１に直接嵌めることが可能である。その結果、針が時計の文字板上で連続回転することになる。この解決法は図面には示されていない。
【００１６】
数回にわたって時計の歯車列４に言及してきたが、この歯車列は機構３の一部をなす第１の車７を駆動する。時計用語で時方輪列とも呼ばれる「歯車列」は、時計の駆動素子に直接接続された歯車の列を意味しており、この駆動素子は主として香箱バネから構成されている。ここで例証のためにとりあげた構成の場合、この歯車列４は、時針３６が固定された時針車４２に終端がくる（図１、２、及び、４参照）。時針３６は１２時間で１回転し、それに接続された時針車４２は中間車４３にかみ合い、中間車はさらに機構３の第１の車７を駆動する。歯数比は、車７が２４時間で１回転するように決められているが、これは指示子２が２４時間ディスプレイを備えることを表わしている。この第１の車７は、従って時計の歯車列４に永久接続されていて、プッシュボタン５を作動させると、指示子２が１時間ステップで進み、同時に、補正前に存在した時の分数を保持するようになっている。
【００１７】
図２及び３には、プッシュボタン５によって作動し、機構３に作用して、指示子２から歯車列４を外す装置例６が示されている。この装置６には、プッシュボタンを作動させると、その歯部２５が第２の車８にかみ合う滑り車２４が含まれている。この滑り車２４は、その歯部がラック２８の歯部２７にかみ合うピニオン２６を備えており、このラックはプッシュボタン５によって制御される。図２及び３に示す構成例の場合、この制御は、分離レバー４４によって実現するが、直接実現することも可能である。戻しバネ４６が、４５にヒンジ止めされたラックに作用する。
【００１８】
図５〜８には指示子２の時刻合わせサイクルにおける４つの状況が示されており、図９は図７に描かれたゾーンＩＸの拡大図である。図５〜９を参照しながら、次に、１つの時間からもう１つの時間に時刻指示子を変化させるため、プッシュボタン５に圧力を加えたとき、時刻合わせ機構がどのように機能するかについて説明する。参照番号は図２で用いられているものと同じである。
【００１９】
図５には、通常動作における時計が示されている。プッシュボタン５は静止位置にある、すなわち、外部から起動されていない。ラック２８が、戻しバネ４６によって時計の外側に向かって押され、移動位置の端に達する。ラックとかみ合って、滑り車２４が機構３の第２の車から完全に外れる。ピニオン２３に接続された指示子２は０時３０分を示しており、ラック２１のセンサ２０はカム１９の直径が最小の領域にある。
【００２０】
図６には、プッシュボタン５が半分押し込まれた同じ機構が示されている。ラック２８は分離レバー４４によって押され、時計廻り方向に傾いている。ラック２８の歯部２７は、ピニオン２６を介して滑り車２４を駆動させ、滑り車２４の歯部２５が機構３の第２の車８の歯部にかみ合うまで並進移動させられる。滑り車２４は軸２９を備え、その軸が図６には示されていないが、図９に示されている長楕円形の穴３０にガイドされる。この並進移動は、車２４を回転させずに実施される。すなわち、摩擦バネ３１が滑り車２４に圧力を加えて、並進時に前記車が回転するのを阻止する。この状況において、車２４の軸２９は長楕円形の穴３０の底部で停止し、車８は依然として図５に示すのと同じ角位置にある。時刻指示子はやはり０時３０分を示したままである。
【００２１】
図７及び図９には、プッシュボタン５がその全動程の３／４まで押し込まれた同じ機構が示されている。滑り車２４は、前記車２４のピニオン２６に対するラック２８の歯部２７の作用によって回転駆動される反時計廻り方向Ａに回転を始める（図９参照）。滑り車２４の回転によって、機構３の第２の車８が時計廻り方向Ｂに回転している。星形車１２を包囲する環状バネ１５の突出部１４が、以前は前記星形車の歯先５１上にあった星形車のスペース５０から移行しており、ラック２１のセンサ２０はカム１９の斜面に沿ってわずかに進んでいる。時針２は１時００分を示している。留意すべきは、機構３の第１の車７は不動のままであり、時計の歯車列によって拘束されているという点である。
【００２２】
図８には、プッシュボタンが動程の最後まで押し込まれた同じ機構が示されている。滑り車２４は、機構３の第２の車８を同じ時計廻り方向に駆動する同じ反時計廻り方向に回転し続けている。明らかに、環状バネ１５の突出部１４は、以前は前記星形車のスペース５２上にあった星形車の歯先５１を通過しているであろう（図８及び９参照）。ラック２１のセンサ２０は、やはりカム１９の斜面に沿って進んでいる。時針２は、この時点で１時３０分を示しており、１つの時から次の時への移行が実施され、同時に、開始時に示された分数である３０分が保持された。
【００２３】
指示子２が進みを終了すると、プッシュボタン５に対する圧力が解除され、ラック２８は、バネ４６によって戻されて、それが占めていた場所に戻る。この垂直方向に曲げられた部分によって、滑り車２４は静止位置であるその開始位置まで駆動される。
【図面の簡単な説明】
【００２４】
【図１】本発明による時刻合わせ部材が取り付けられた時計を示す略平面図である。
【図２】本発明に従って製作された機構の実施形態に関する平面図である。
【図３】図２に示すラインＩＩＩ−ＩＩＩに沿った断面図である。
【図４】図２に示すラインＩＶ−ＩＶに沿った断面図である。
【図５】制御プッシュボタンを作動させた時の、本発明による時刻変更機能の働きを説明するため、機構のそれぞれの状況を例示した図である。
【図６】制御プッシュボタンを作動させた時の、本発明による時刻変更機能の働きを説明するため、機構のそれぞれの状況を例示した図である。
【図７】制御プッシュボタンを作動させた時の、本発明による時刻変更機能の働きを説明するため、機構のそれぞれの状況を例示した図である。
【図８】制御プッシュボタンを作動させた時の、本発明による時刻変更機能の働きを説明するため、機構のそれぞれの状況を例示した図である。
【図９】図７に示すゾーンＩＸの拡大図である。
【符号の説明】
【００２５】
１  時刻合わせ部材、２  時刻指示子、３  機構、４  歯車列、５  プッシュボタン、６  装置、７  第１の車、８  第２の車、１０  クラウン、１１  ハブ、１２  星型車、１４  突出部、１５  環状バネ、１６  垂直方向に曲げられた部材、１７  穴、１９  カム、２０  センサ、２１  ラック、２２  ラックの歯部、２３  ピニオン、２４  滑り車、２５  滑り車の歯部、２６  ピニオン、２７  ピニオンの歯部、２８  ラック、２９  滑り車の軸、３０  長楕円形の穴、３５  目盛板、３６  時針
【図１】
2008151790.tif 000003
【図２】
2008151790.tif 000004
【図３】
2008151790.tif 000005
【図４】
2008151790.tif 000006
【図５】
2008151790.tif 000007
【図６】
2008151790.tif 000008
【図７】
2008151790.tif 000009
【図８】
2008151790.tif 000010
【図９】
2008151790.tif 000011
【外国語明細書】
2008151790.tif 000012
2008151790.tif 000013
2008151790.tif 000014
2008151790.tif 000015
2008151790.tif 000016
2008151790.tif 000017
2008151790.tif 000018
2008151790.tif 000019
2008151790.tif 000020
2008151790.tif 000021
2008151790.tif 000022
2008151790.tif 000023
2008151790.tif 000024
2008151790.tif 000025